(57)【要約】      （修正有）【課題】夜間等でも安全に通行できるようにし、また通路の雪等を溶かして安全に通行できるようにする誘導装置及び融雪装置を提供する。【解決手段】方形状のマット部１の両縁付近には、発光ダイオード８（発光体）が二列に埋設され、これらに挟まれたエリアが夜間等でも安全な通行路として容易にわかる。マット部１の上層マット３と下層マット２との間で、二列の発光ダイオード８で挟まれた領域に発熱線４（発熱体）が設けられ、マット部１の上の雪等が溶かされる。周囲が暗くなるとフォトセンサから光検知信号が出力され、スイッチィング回路が導通されて、発光ダイオード８が点灯される。気温が下がると、温度センサから低温検知信号が出力され、スイッチィング回路が導通されて、発熱線４が発熱される。雪等・雨等が降ると、水分センサから水分検知信号が出力され、スイッチィング回路が導通されて、発熱線４が発熱される。【選択図】図１
0003174979.tif 000002
【実用新案登録請求の範囲】
【請求項１】
可撓性を有する板状のマット部と、
この板状のマット部の周縁の上面に配置された複数の発光体であって、この複数の発光体は当該周縁の一部のみに、少なくとも二か所に分かれて列状に配置され、これによりこの二か所に分かれた発光体群に挟まれる箇所によって通行すべき領域が示され、
この複数の発光体の周囲に設けられ、当該発光体より上方に突出し、しかも上縁が上記マット部の上面とほぼ同じ高さとなっている保護部と、
この保護の上面を隙間なく塞ぎ、上記発光体の光を透過する透光性の閉塞部とを備えたことを特徴とする誘導装置。
【請求項２】
上記マット部を複数連結する連結手段と、
この連結された複数のマット部の各発光体群に接続され、これら発光体群を同期して点滅させる点滅手段とを、さらに備えたことを特徴とする請求項１記載の誘導装置。
【請求項３】
上記閉塞部は透明または半透明の樹脂であり、当該樹脂は上記保護部から上記発光体の全外面まで、当該保護部内に充填されていることを特徴とする請求項２記載の誘導装置。
【請求項４】
上記発光体に接続され、周囲の光量が所定値以下になったときに、上記発光体から光を放射させる光検知体を、さらに備えたことを特徴とする請求項３記載の誘導装置。
【請求項５】
上記マット部の中に設けられ、上記発光体の付近及び上記少なくとも二か所に分かれた列状の発光体で挟まれた領域を、熱を発して雪、霜、霰、霙または氷を溶かす、若しくは雨または水を蒸発させる発熱体を、さらに備えたことを特徴とする請求項４記載の融雪装置。
【請求項６】
上記発熱体に接続され、上記マット部に雪、霜、霰、霙、氷、雨または水があるとき、上記発熱体から熱を放出させる雪水検知体を、さらに備えたことを特徴とする請求項５記載の融雪装置。
【請求項７】
上記マット部の角の一方及び他方の両側縁から内部に向かって形成され合流する少なくとも２つの溝と、
上記発光体に電力を供給する、上記マット部の上記合流点から外に延出されたケーブルとを、さらに備え、
このケーブルは、この合流点から上記２つの溝のいずれかを選択して収納され、これにより、このケーブルをマット部の一側縁から延出するか他側縁から延出するか切り換えできることを特徴とする請求項４記載の誘導装置。
【請求項８】
上記マット部の角の一方及び他方の両側縁から内部に向かって形成され合流する少なくとも２つの溝と、
上記発熱体に電力を供給する、上記マット部の上記合流点から外に延出されたケーブルとを、さらに備え、
このケーブルは、この合流点から上記２つの溝のいずれかを選択して収納され、これにより、このケーブルをマット部の一側縁から延出するか他側縁から延出するか切り換えできることを特徴とする請求項６記載の融雪装置。
【請求項９】
上記発熱体への印加電圧の一部が上記発光体に印加されることを特徴とする請求項７記載の誘導装置。
【請求項１０】
上記発熱体への印加電圧の一部が上記発光体に印加されることを特徴とする請求項８記載の融雪装置。
【考案の詳細な説明】
【技術分野】
【０００１】
本考案は、誘導装置及び融雪装置に関し、特に雪が降ってもまたは夜間などでも通行路を分かりやすくする誘導装置など、降った雪を検出して溶かして通行に支障がないようにする融雪装置などに関する。
【背景技術】
【０００２】
近年、雪が降ったときに、降雪を検知して溶かして通行に支障がないようにする装置などが考えられている。しかし、どこの雪が溶けていて安全か、そうでないか、なかなかわかりづらいという問題があった。特に夜間はわかりづらいという問題があったし、明るい昼間でも目の不自由な人にはわかりづらいという問題あった。
【０００３】
【特許文献１】特開平７−０２００７４号公報
【特許文献２】特開平６−００３４６２号公報
【特許文献３】特許第２７０１１１７号公報
【特許文献４】特開２００３−２７９６６４号公報
【特許文献５】特開２０００−２８４０６５号公報
【特許文献６】特開２０００−２６６８６４号公報
【特許文献７】特開２０００−１４７１４２号公報
【特許文献８】特開平１１−０３８１５６号公報
【特許文献９】登録実用新案第３０６９９０５号公報
【特許文献１０】登録実用新案第３０３７５７７号公報
【特許文献１１】登録実用新案第３１１２２７１号公報
【特許文献１２】登録実用新案第３０３７５５９号公報
【特許文献１３】特開２００５−２０８０１８号公報
【考案の開示】
【考案が解決しようとする課題】
【０００４】
本考案は、上述した課題を解決するためになされたものであり、本考案の目的は、雪の有無に限らず、夜間でも目の不自由な人でも、安全な通路を分かりやすくすること等にある。また、本考案の別の目的は、雪の溶けている箇所とそうでない箇所とを区別しやすい装置を提供すること等にある。
【課題を解決するための手段】
【０００５】
上記目的を達成するために、本考案の融雪装置及び誘導装置は、  可撓性を有する板状のマット部と、  この板状のマット部の周縁の上面に配置された複数の発光体であって、この複数の発光体は当該周縁の一部のみに、少なくとも二か所に分かれて列状に配置され、これによりこの二か所に分かれた発光体群に挟まれる箇所によって通行すべき領域が示され、  この複数の発光体の周囲に設けられ、当該発光体より上方に突出し、しかも上縁が上記マット部の上面とほぼ同じ高さとなっている保護部と、  この保護の上面を隙間なく塞ぎ、上記発光体の光を透過する透光性の閉塞部とを備えた。
【０００６】
また、上記マット部の中に設けられ、上記発光体の付近及び上記少なくとも二か所に分かれた列状の発光体で挟まれた領域を、熱を発して雪、霜、霰、霙または氷を溶かす、若しくは雨または水を蒸発させる発熱体を、さらに備えた。
【考案の効果】
【０００７】
これにより、少なくとも二か所の列状の複数の発光体によって、通行すべき領域がわかり、明るい昼間でも目の不自由な人にわかりやすく、夜間には健常者にもわかりやすく、安全に通行できるようになった。  
【０００８】
また、少なくとも二か所の列状の複数の発光体の間の領域が、発熱体で雪、霜、霰、霙または氷を溶かす、若しくは雨または水を蒸発させるので、この発光体で挟まれた領域に雪などが無く安全に通行できることが容易にわかる。
【考案を実施するための最良の形態】
【０００９】
（１）マット部１（融雪装置部分）
図１、図２及び図３は、マット部１の外観及び断面を示す。マット部１は一辺数十ｃｍ乃至数ｍの正方形状または長方形状の、厚さ数ｍｍ乃至数十ｍｍの板状で、可撓性を有している。
【００１０】
このマット部１は、上下二層に分割され、可撓性を有する板状の下層マット２と上層マット３とからなっている。この下層マット２と上層マット３は、廃タイヤなどをリサイクルして作られたゴムチップからなり、多数のゴムのブロックどうしが隙間をもって連結され、多数の溝及び隙間が形成されている。
【００１１】
このような溝及び隙間はスタッドレスタイヤまたはスノウタイヤなどの表面構造とほぼ同じ構造でもよく、非常に滑りにくくなっている。なお、このような溝及び隙間に限られるものではなく、種々の溝及び隙間が選択可能である。
【００１２】
このような溝及び隙間によって、透水性及び水はけがよくなり、雪、霜、霰、霙または氷が解けた水がマット部１上に溜まらず、水はけがよくなり、滑りにくくなるし、この水の再凍結もなくなり、安全に通行できる。この通行には、歩行者の歩行、走行、通過のほか、一輪車、二輪車または四輪車、その他の乗り物などでの走行、通過も含まれる。
【００１３】
このような下層マット２と上層マット３とは熱硬化樹脂の接着剤または／及び熱溶着、ホットプレス、その他の手段によって互いに一体的に接着される。図１〜図４では、下層マット２と上層マット３とが分離される線が示されているが、実際は完全に一体化されている。
【００１４】
これら下層マット２と上層マット３との間には、つまりマット部１の中には、発熱線４（発熱体）が挟まれている。この発熱線４はジグザグ状かつすだれ状に配置され、それぞれの折り返しでは「Ｕ字状」に折り返され、これらが、マット部１（下層マット２と上層マット３）全面にわたって配置されている。
【００１５】
このような発熱線４は、多数のカーボンフィラメント（炭素繊維）を数千本乃至数万本を撚って、この外周を防水ゴムで複数層にわたって被覆したもので、防水性に優れ、強度が鉄より強く、大型車の通行にも耐え、比重も鉄より軽い。この発熱線４に電力が供給され、通電されて、電気が流れることによって、多くの熱を・輻射熱を発生する。
【００１６】
このように発する熱によって、マット部１の上の雪、霜、霰、霙または氷（以下「雪など」という）などが溶かされるし、「融雪」はこれらを溶かすことを意味し、さらにこの解けた水はこの熱によって蒸発されるし、またマット部１の上の雨または水（以下「水など」という）もこの熱によって蒸発される。このような発熱線４は、発熱できれば、ニクロム線、発熱半導体、電熱変換素子等、なんでもよい。
【００１７】
（２）マット部１（誘導装置部分）
上記方形状のマット部１の対向する二辺の周縁のやや内側には、この二辺に平行に上記上層マット３に長孔が形成されており、上記下層マット２には孔が形成されず、この結果、マット部１の上面には互いに離間された平行な凹溝６、６が形成されている。この凹溝６、６内には、断面「コ字状」の金属製の錆びにくい細長い保護レール７、７が収納され、下層マット２及びと上層マット３に接着固定されている。
【００１８】
この保護レール７、７は「コ字状」の断面が、凹溝６、６の底面から両側面にわたるように収納され、上方に開口する状態で収納される。この断面「コ字状」の保護レール７、７の上方の開口部は内側に折り曲げられ、これにより、保護レール７、７が補強され、保護レール７、７内に異物が入るのが防止される。
【００１９】
この保護レール７、７の上縁は、凹溝６、６の上縁及び上記マット部１の上面と同じ高さとなっている。この保護レール７、７の底面には、スペーサが固定またはシリコン樹脂が充填され、この上にプリント基板１０が配置され、このプリント基板１０の上に、複数または多数の発光ダイオード８（発光体）が配置され、これらは互いに直列に接続されている。このプリント基板１０の上には、その他の電子部品も配置されている。
【００２０】
このプリント基板１０の上の保護レール７内もシリコン樹脂が隙間なく充填され、発光ダイオード８の周囲に隙間なく充填され、さらに発光ダイオード８を収納した保護レール７の上までを隙間なく塞ぎ、これが閉塞樹脂９（閉塞部）となっている。これにより、保護レール７内に雪など及び水などが浸入するのが防止さて、完全に絶縁されるし、強い力が加わってもプリント基板１０及び発光ダイオード８…及びその他電子部品が破損しない。
【００２１】
この閉塞樹脂９のシリコン樹脂は透明なので、発光ダイオード８の光を通す。この閉塞樹脂９は透明でも、半透明でもよく、シリコン樹脂以外のアクリル樹脂、ポリエチレン樹脂、ポリプロピレン樹脂、ユリア樹脂その他の樹脂、強化ガラス、セラミックスなどでもよい。
【００２２】
以上の構成から、発光ダイオード８…は、板状のマット部１の周縁の上面に配置され、この複数の発光ダイオード８は当該周縁の一部のみに、二か所に分かれて列状に配置されることになる。これにより、この二か所かつ二列に分かれた発光ダイオード８群の間の挟まれる領域・箇所が、通行すべき領域として、夜間でも昼間でも悪天候でも示され、安全に通行できる。
【００２３】
また、上記保護レール７は、複数の発光ダイオード８の周囲に設けられ、当該発光ダイオード８より上方に突出している。これにより、保護レール７が発光ダイオード８を破損しないように保護している。また、閉塞樹脂９も、複数の発光ダイオード８の周囲に重点され、当該発光ダイオード８より上方まで充填されている。これにより、閉塞樹脂９が発光ダイオード８を破損しないように保護している。
【００２４】
このような複数の発光ダイオード８、保護レール７及び閉塞樹脂９の下までは、上記発熱線４は達していないが、すぐ近傍までは配置されている。これにより、発光ダイオード８の上や近傍の雪なども溶かしたり、水などを乾燥させたりすることができる。
【００２５】
むろん、複数の発光ダイオード８の周囲に設けられ、当該発光ダイオード８より上方に突出している。これにより、保護レール７が発光ダイオード８を破損しないように保護している。複数の発光ダイオード８、保護レール７及び閉塞樹脂９の下にも発熱線４が配置されてもよい。
【００２６】
上記のマット部１の発熱線４はなくてもよい。この場合、このマット部１は、雪などを溶かす融雪装置としてではなく、発光ダイオード８などによって、通行にあたってわかりやすく安全に誘導する誘導装置として機能する。
【００２７】
（３）ケーブル１３の切り換え部分
図４は、ケーブル１３の切り換え部分を示す。上記マット部１の下層マット２の１つの角付近において、この角の直交する二辺の両側縁から内部に向かって２本のケーブル溝１１、１１が形成され、このケーブル溝１１、１１が合流して「Ｌ字状」になっている。この合地点１２からはケーブル１３が外に延出されている。
【００２８】
このケーブル１３は、この合流点１２から上記２つのケーブル溝１１、１１のいずれかが選択されて収納される。これにより、このケーブル１３がマット部１の一側縁から延出するか他側縁から延出するかが切り換えできる。この結果、マット部１を壁沿いに配置するときに、ケーブル１３が邪魔になっても、縁出方向を切り替えて、ケーブル１３を邪魔にならないように切り換えて延出できる。
【００２９】
このケーブル１３には、上記発熱線４に電気的につながり電力を供給する導線が内蔵されているし、上記発光ダイオード８に電気的につながり電力を供給する導線も内蔵されている。
【００３０】
上記マット部１のケーブル溝１１が設けられていない、他の角の一つまたは複数若しくは４つの角すべてにはマット部１の上面から下面へ貫通する貫通孔１５が形成されている。この貫通孔１５にはアンカーボルト（図示せず）が挿通されて、マット部1が地面またはコンクリート表面等に固定される。
【００３１】
（４）発光ダイオード８の制御回路
図５は、上記発光ダイオード８に接続されて、発光ダイオード８…を点灯または消灯するための制御回路を示す。家庭用の交流電源２１、たとえば交流１００Ｖの電圧信号は整流回路２２で直流定電圧、たとえば直流５Ｖ〜１０Ｖに変換され、スイッチィング回路２３を経て、上記発光ダイオード８…に供給され、発光ダイオード８が発光される。
【００３２】
上記二列の発光ダイオード８…のうち、一列分の複数の発光ダイオード８…は、互いに直列に接続されており、この二列の直列の発光ダイオード８…は、並列に接続されている。上記スイッチィング回路２３はトランジスタ、アンドゲート、サイリスタ、その他のスイッチィング回路からなる。
【００３３】
フォトセンサ２４（光検知体）では、マット部１の周囲の明るさが検知され、夕暮れ、夜間または暗雲で暗くなって、周囲の光量が所定値以下になると、光検知信号が上記スイッチィング回路２３に送られ、当該スイッチィング回路２３が導通され、上記発光ダイオード８…が点灯される。また、夜明け、昼間または日光光量が増えて、上記周囲の光量が所定値を越えると、上記光検知信号の出力が停止され、上記スイッチィング回路２３の導通が遮断され、発光ダイオード８…が消灯される。
【００３４】
なお、上記フォトセンサ２４は省略され、スイッチィング回路２３が手動でオン／オフされるスイッチとされ、またはフォトセンサ２４及びスイッチィング回路２３が手動のスイッチでオン／オフされ、発光ダイオード８…の点灯／消灯が手動で切り換えられてもよい。
【００３５】
これにより、昼間の明るいときでも発光ダイオード８…が点灯され、目の不自由な人が安全に通行できる。このような手動のスイッチには、オン／オフの状態を示すランプなどが付加される。この手動のスイッチは、ケーブルで延長されて、室内に設けられてもよい。
【００３６】
また、このようなフォトセンサ２４、スイッチィング回路２３などが省略され、発光ダイオード８…が常時点灯されてもよい。さらに、フォトセンサ２４からは、周囲の青色光量、赤色光量、黄色光量など、特定の波長の光量が減少したときのみ、上記光検知信号が出力され、発光ダイオード８…が点灯してもよい。
【００３７】
このような整流回路２２、スイッチィング回路２３、フォトセンサ２４は、上記ケーブル１３の途中のケース（図示せず）、コントロールボックス、保護レール７の端、保護レール7内のプリント基板１０上または上層マット３の穴（図示せず）などに設けられる。ただし、上記図１〜図３には示されていない。上記整流回路２２には、平滑回路、定電圧回路なども含まれている。上記プリント基板１０は、保護レール７より短く、閉塞樹脂９は、プリント基板１０の両端部分を閉塞してもよい。
【００３８】
（５）発熱線４の制御回路
図６は、上記発熱線４に接続されて、発熱線４を発熱または消熱するための制御回路を示す。上記交流電源２１からの電圧信号は、スイッチィング回路２６を経て、上記発熱線４に供給され、発熱線４から熱が放出される。
【００３９】
水分センサ２７（雪水検知体）は、絶縁性の板の上に一対の櫛歯状の導電性の電極が形成され、この導電性の電極の各櫛歯は互いに相手の櫛歯間に入りこむように形成され、これら一対の電極の上に上記雪などまたは上記雨などを含む水などが落ちて積もるまたは存在してあると、これらの水分によって、一対の電極間が電気的に導通する。
【００４０】
この一対の櫛歯電極のうち片方の櫛歯電極には、上記整流回路２２からの直流電圧が印加され、他方の櫛歯電極からは、上記降雪または降雨などによる導通によって水分検知信号がオアゲート２９及びアンドゲート３０を経て上記スイッチィング回路２６へ出力され、当該スイッチィング回路２６が導通され、上記発熱線４が発熱される。
【００４１】
これにより、マット部１の上の雪など、氷などが溶かされたり、この溶けた水が蒸発されたり、マット部１に降った雨などの水などが蒸発される。
【００４２】
上記水分センサ２７が形成されている絶縁性の丈夫な板の下面には小型のヒータ３１がジグザグのすだれ状に設けられ、このヒータ３１には上記整流回路２２からの直流電圧が、アンドゲート３２を経て供給される。これにより、水分センサ２７の上の雪などが、ヒータ３１の発熱によって溶かされ、水分センサ２７の導通が水分のインピーダンスで安定される。
【００４３】
温度センサ２８（雪水検知体）は、熱電対、サーミスタ、測温抵抗体、弾性表面波複写温度センサ、光ファイバー温度センサ、その他の半導体温度センサなどからなり、マット部１の周囲の気温が所定値以下、例えば摂氏−１度以下、０度以下、または１度以下になると、低温検知信号が出力され、これがオアゲート２９及びアンドゲート３０を経て上記スイッチィング回路２６へ出力され、当該スイッチィング回路２６が導通され、上記発熱線４が発熱される。
【００４４】
これにより、摂氏０度以下などになると、マット部１が暖められ、マット部１が凍結されるのが防止されるし、マット部１の上の雪など、氷などが溶かされたり、この溶けた水が蒸発されたり、マット部１に降った雨などの水などが蒸発される。
【００４５】
上記アンドゲート３２には、上記温度センサ２８からの低温検知信号が開成信号と送られ、摂氏０度以下などになったときのみ、ヒータ３１が発熱されて、水分センサ２７上の雪などが溶かされる。この温度は任意であり、摂氏０度以下以外でもよい。
【００４６】
上記オアゲート２９は、上記水分検知信号及び上記低温検知信号の論理和が出力されるので、このオアゲート２９の出力は、雪水検知信号として出力される。この雪水検知信号は、上記雪などまたは水などが落ちてきた場合のほか、露によって水分が存在してあるような場合や、空気中の水分が冷却されて凍結して氷が存在してある場合などの検知信号として出力される。
【００４７】
気温が上昇し、かつ水分センサ２７上の水分がなくなると、オアゲート２９水分センサ２７からの水分検知信号及び温度センサ２８からの低温検知信号が出力されなくなって、オアゲート２９からの雪水検知信号が出力されなくなる。したがって、発熱線４の発熱が停止され消熱される。
【００４８】
この場合、気温が上昇しても水分が残っていれば、発熱線４の発熱は継続され、マット部１の乾燥が達成される。また水分が残っていなくて乾燥しても低温であれば、発熱線４の発熱は継続され、マット部１の凍結が事前に防止される。
【００４９】
上記温度センサ２８からは、例えば摂氏４度以上、５度以上または６度以上になると、高温検知信号が出力され、これがインバータ３３で反転されて、これが上記アンドゲート３０に開成信号として送られる。これにより、例えば摂氏５度以上になると、上記発熱線４の発熱が強制的に停止される。
【００５０】
なお、上記温度センサ２８からの低温検知信号及びオアゲート２９は省略されて、上記アンドゲート３２には高温検知信号の反転信号が開成信号として送られてもよい。これにより、水分センサ２７からの水分検知信号と温度センサ２８からの高温検知信号がともに出力されたときのみ、発熱線４及びヒータ３１は発熱される。
【００５１】
上記オアゲート２９はアンドゲートにしてもよい。これにより、低温で水分が検出されたときのみ、つまり雪、霜、霰、霙、氷などが降ったとき、及び凍結のときのみに、発熱線４が発熱され、降雨及び露結のときなどには発熱されない。また、気温が上昇する、または水分センサ２７上の水分がなくなると、発熱線４の発熱は停止され消熱される。このように、発熱線４の発熱の条件は種々選択・変更可能である。
【００５２】
この場合、水分が残っていても気温が上昇すれば、発熱線４の発熱は停止され消熱され、省エネが達成される。また低温でも水分が残っていなくて乾燥していれば、発熱線４の発熱は停止され消熱され、省エネが達成される。
【００５３】
なお、上記水分センサ２７は省略され、スイッチィング回路２６が手動でオン／オフされるスイッチとされ、または温度センサ２８、スイッチィング回路２６、ヒータ３１及び水分センサ２７が手動のスイッチでオン／オフされ、発熱線４の発熱／消熱が手動で切り換えられてもよい。
【００５４】
これにより、夏場の雹（ひょう）のように、氷結の恐れが少ないときの発熱を除外できる。むろん、このような場合でも発熱してもよい。このような手動のスイッチには、オン／オフの状態を示すランプなどが付加される。この手動のスイッチは、ケーブルで延長されて、室内に設けられてもよい。
【００５５】
このような図５の発光ダイオード８…の制御回路の接続導線は、上記ケーブル１３の中を通っていて、電源に接続される。また、上記図６の電熱線４の制御回路の接続導線も、上記ケーブル１３の中を通っていて、電源に接続される。したがって、このケーブル１３は、４芯構造となっている。
【００５６】
また、このような水分センサ２７、温度センサ２８、スイッチィング回路２６などが省略され、暖房設備のように、発熱線４が常時発熱されてもよい。さらに、水分センサ２７及び温度センサ２８のいずれか一方のみが省略されてもよい。これにより、気温が高くても低くても水分のみが検出されたときに発熱線４が発熱される。また、水分が検出されてもされなくても、低温になったときに発熱線４が発熱される。
【００５７】
このような整流回路２２、スイッチィング回路２６、水分センサ２７、温度センサ２８は、上記ケーブル１３の途中のケース（図示せず）、コントロールボックス、保護レール７の端または上層マット３の穴（図示せず）などに設けられる。ただし、上記図１〜図３には示されていない。
【００５８】
なお、図５のＡ地点と図６のＢ地点とが接続されて、図５の交流電源２１と整流回路２２とが省略されてもよい。この場合、図６のＢ地点の電圧は、交流１００Ｖが分圧されて、発光ダイオード８用の電圧とされる。ここで、発光ダイオード８は交流用とされてもよい。これにより、整流回路２２などが不要となるか、この整流回路２２内の分圧回路が不要となる。
【００５９】
さらに、図６の交流電源２１とスイッチィング回路２６との間に、整流回路が設けられてもよい。この整流回路は、１００Ｖの交流を１００Ｖの直流にする回路であり、発熱線４は直流用となり、整流回路２２のように分圧回路は不要となる。上記水分センサ２７はホイートストンブリッジ回路に組み込まれて水分検知信号が出力されてもよく、水分を検出できればどのような回路、手段でもよい。
【００６０】
上記高温検知信号及びアンドゲート３０は省略されてもよい。これにより、気温が高い時でも、降雨の水などをマット部１で乾燥できる。上記低温検知信号及び高温検知信号が出力される温度は変更可能であり、上述の摂氏−１度以下、０度以下、１度以下、４度以上、５度以上６度以上、以外でもよい。
【００６１】
（６）連結構造及び点滅回路３６
図7及び図８は、複数のマット部１を連結した状態を示す。マット部１…の四隅には貫通孔１５…が形成されている。複数のマット部１…は、上記発光ダイオード８及び保護レール７が同じ方向を向くように、一列に並べられる。各マット部１…の貫通孔１５…には、カスガイ状の連結具３５…の両端が挿入されて、互いに容易に分離しないように連結される。
【００６２】
これにより、複数のマット部１…を連結して、長い距離を発光ダイオード８で案内して、安全に通行できるし、雪の日などに安全な通路を容易に知ることができる。このような連結具３５…は、カスガイ状のほか、連結するベルト、テープ、紐、鎖、ボルト、マット部１…の端縁に内蔵された磁石などでもよく、貫通孔１５は、マット部１…の上面から下面にかけて形成されるほか、側縁などに形成されてもよい。
【００６３】
上記各マット部１…の各発光ダイオード８…群は、点滅回路３６に並列に接続され、この点滅回路３６は上記スイッチィング回路２３に接続される。図５で説明した、交流電源２１、整流回路２２、スイッチィング回路２３、フォトセンサ２４は、これらの各マット部１…及び各発光ダイオード８…で共用される。
【００６４】
この点滅回路３６は、フリップフロップ回路、バイメタル接点、熱電対接点、熱で磁力が変化する磁石接点などからなり、一定周期で点滅を繰り返す。この点滅周期は、例えば点灯０．２〜０．５秒など、消灯０．５〜１．０秒などである。
【００６５】
複数接続されるマット部１…の中には、一部または全部、発光ダイオード８、保護レール７及び閉塞樹脂９がカーブまたは折れ曲がり、マット部の形状も扇形または「Ｌ字状」でもよい。これにより、誘導経路は直線状のほか、湾曲または折曲の形状にもできる。
【００６６】
このような点滅回路３６などの共用によって、複数のマット部１…の発光ダイオード８…の点滅の同期がとられ、誘導経路がわかり易くなる。このような点滅回路３６、整流回路２２、スイッチィング回路２３、フォトセンサ２４は、図７の右下のコントロールボックス内に収納される。
【００６７】
上記点滅回路３６は、図５または図８において、スイッチィング回路２３と発光ダイオード８…との間に設けられるが、交流電源２１と整流回路２２との間、整流回路２２とスイッチィング回路２３との間、フォトセンサ２４とスイッチィング回路２３との間に設けられてもよい。この場合でも同様に発光ダイオード８…を点滅できる。この場合、各マット部１…で共用される回路部分が変わってくる。
【００６８】
（７）他の実施の形態
本考案は、上記実施例に限定されず、種々変更可能である。例えば、マット部１は方形状以外に、長尺状、多角形状、円形状、楕円形状、これらの複合形状でもよい。厚みは均一ではなく、傾斜していてもよいし、波形、矩形波、三角波、のこぎり波のように、凹凸があってもよい。
【００６９】
マット部１は平坦なもの以外に、階段に沿って段差状でもよいし、立体的に凹状または凸状に湾曲していたり、立体的に凹凸があったりしてもよい。マット部１は、複数に分割可能でもよく、これに応じて、二列の複数の発光ダイオード８、保護レール７及び閉塞樹脂９は、一列ずつに、分割されてもよい。
【００７０】
複数の発光ダイオード８、保護レール７及び閉塞樹脂９は、互いに平行であったが、平行でなくともよい。複数の発光ダイオード８、保護レール７及び閉塞樹脂９は、直線状ではなく、カーブしていたり、「Ｌ字状」「Ｖ字状」「Ｕ字状」「Ｔ字状」「Ｎ字状」「Ｍ字状」「Ｘ字状」「Ｙ字状」「Ｗ字状」「Ｓ字状」「Ｊ字状」等に折れ曲がったりしていてもよい。
【００７１】
これに応じて、複数の発光ダイオード８、保護レール７及び閉塞樹脂９は二組二列のほか、二組三列、二組四列、…、三組二列、三組三列、三組四列、三組五列、…、四組二列、四組三列、四組四列、四組五列、四組六列、…などでもよい。
【００７２】
発光ダイオード８は、小ランプ、光の反射材料、光の乱反射材料、蛍光材料、燐光材料、蓄光材料、ＥＬ、鏡など、反射作用を含む発光作用があれば何でもよい。閉塞樹脂９は保護レール７を完全に塞がず、一部隙間があってもよいし、発光ダイオード８の全外面を充填せず、一部隙間があってもよいし、保護レール７の上面のみを塞ぐ形でもよい。
【００７３】
発光ダイオード８の発光色は、赤色であるが、緑色、青色、これらの混合色、たとえば黄色、オレンジ色、紫色等でもよい。一列の個々の発光ダイオード８は、互いに直列に接続されていたが、並列に接続されてもよい。
【００７４】
上記交流電源２１は、直流でもよいし、電圧は２００Ｖなど、１００Ｖ以外でもよい。また、この電源は、太陽光発電機、風力発電機、その他の発電機、蓄電池、これらの組み合わせなどからの、交流、直流、いずれの電源でもよい。上記ヒータ３１には直流電源ではなく交流電源が印加されてもよい。
【００７５】
上記マット部１、下層マット２、上層マット３、発熱線４、凹溝６、保護レール７、発光ダイオード８、閉塞樹脂９、プリント基板１０、ケーブル溝１１、合流点１２、ケーブル１３、貫通孔１５、交流電源２１、整流回路２２、スイッチィング回路２３、フォトセンサ２４、スイッチィング回路２６、水分センサ２７、温度センサ２８、重み付け圧縮ゲート２９、アンドゲート３０、３２、ヒータ３１、インバータ３３、連結具３５、点滅回路３６の一部または全体は省略されてもよいし、その数が増えても減ってもよいし、その形状は任意に変更可能であり、均等の他の物に置き換えられてもよいし、これらの２つまたは３つ以上が合体または一体化されて兼用されてもよいし、これらは複数に分割されて使用されてもよい。
【００７６】
上述の種々の実施の形態（実施例）において、一つの実施形態（実施例）で記載されていないことは、他の実施形態（実施例）の記載されている内容が参照及び引用される。本願明細書及び実用新案登録請求の範囲においては、これらの複数の実施形態（実施例）にわたって、各部または一部を入れ替えた実施形態（実施例）も、上記各実施形態（実施例）として記載されているものである。
【００７７】
（８）他の考案の効果
［１］可撓性を有する板状のマット部と、  この板状のマット部の周縁の上面に配置された複数の発光体であって、この複数の発光体は当該周縁の一部のみに、少なくとも二か所に分かれて列状に配置され、これによりこの二か所に分かれた発光体群に挟まれる箇所によって通行すべき領域が示され、  この複数の発光体の周囲に設けられ、当該発光体より上方に突出し、しかも上縁が上記マット部の上面とほぼ同じ高さとなっている保護部と、  この保護の上面を隙間なく塞ぎ、上記発光体の光を透過する透光性の閉塞部とを備えたことを特徴とする誘導装置。
【００７８】
［２］上記マット部を複数連結する連結手段と、  この連結された複数のマット部の各発光体群に接続され、これら発光体群を同期して点滅させる点滅手段とを、さらに備えたことを特徴とする請求項１記載の誘導装置。これにより、マット部より長い距離を安全に誘導でき、同期点滅によって長い誘導経路がわかり易くなる。
【００７９】
［３］上記閉塞部は透明または半透明の樹脂であり、当該樹脂は上記保護部から上記発光体の全外面まで、当該保護部内に充填されていることを特徴とする請求項２記載の誘導装置。これにより、発光体が樹脂の閉塞部で保護され、発光体の光が樹脂の閉塞部を透過できる。
【００８０】
［４］上記発光体に接続され、周囲の光量が所定値以下になったときに、上記発光体から光を放射させる光検知体を、さらに備えたことを特徴とする請求項３記載の誘導装置。これにより、夜間になったときなど、暗くなったときに、発光体を発光させることができるし、明るくなったときには、発光体を消灯できる。
【００８１】
［５］上記マット部の中に設けられ、上記発光体の付近及び上記少なくとも二か所に分かれた列状の発光体で挟まれた領域を、熱を発して雪、霜、霰、霙または氷を溶かす、若しくは雨または水を蒸発させる発熱体を、さらに備えたことを特徴とする請求項４記載の融雪装置。これにより、発光体で誘導する領域の雪などを溶かしまたは水などを蒸発させて、通行しやすくし、発光体も見やすくできる。
【００８２】
［６］上記発熱体に接続され、上記マット部に雪、霜、霰、霙、氷、雨または水があるとき、上記発熱体から熱を放出させる雪水検知体を、さらに備えたことを特徴とする請求項５記載の融雪装置。これにより、雪などまたは水などがあるときのみ発熱体を発熱させて、効率よく雪などを溶かし、効率よく水を蒸発させることができる。
【００８３】
［７］上記マット部の角の一方及び他方の両側縁から内部に向かって形成され合流する少なくとも２つの溝と、  上記発光体に電力を供給する、上記マット部の上記合流点から外に延出されたケーブルと、さらに備え、  このケーブルは、この合流点から上記２つの溝のいずれかを選択して収納され、これにより、このケーブルをマット部の一側縁から延出するか他側縁から延出するか切り換えできることを特徴とする請求項４記載の誘導装置。これにより、マット部の端縁に壁などが当接するときに、発光体のケーブルの突出方向を変えてケーブルが邪魔にならないようにすることができる。
【００８４】
［８］上記マット部の角の一方及び他方の両側縁から内部に向かって形成され合流する少なくとも２つの溝と、  上記発熱体に電力を供給する、上記マット部の上記合流点から外に延出されたケーブルと、さらに備え、  このケーブルは、この合流点から上記２つの溝のいずれかを選択して収納され、これにより、このケーブルをマット部の一側縁から延出するか他側縁から延出するか切り換えできることを特徴とする請求項６記載の融雪装置。これにより、マット部の端縁に壁などが当接するときに、発熱体のケーブルの突出方向を変えてケーブルが邪魔にならないようにすることができる。
【００８５】
［９］上記発熱体への印加電圧の一部が上記発光体に印加されることを特徴とする請求項７記載の誘導装置。これにより、電圧を分圧して発光体に供給する分圧回路などが不要となり、回路の一部を共用できる。
【００８６】
［１０］上記発熱体への印加電圧の一部が上記発光体に印加されることを特徴とする請求項８記載の融雪装置。これにより、電圧を分圧して発光体に供給する分圧回路などが不要となり、回路の一部を共用できる。
【産業上の利用可能性】
【００８７】
夜間等でも安全に通行できるようにし、また通路の雪等を溶かして安全に通行できるようにする。方形状のマット部１の両縁付近には、発光ダイオード８（発光体）が二列に埋設され、これらに挟まれたエリアが夜間等でも安全な通行路として容易にわかる。マット部１の上層マット３と下層マット２との間で、二列の発光ダイオード８で挟まれた領域に発熱線４（発熱体）が設けられ、マット部１の上の雪等が溶かされる。
【００８８】
周囲が暗くなるとフォトセンサ２４から光検知信号が出力され、スイッチィング回路２３が導通されて、発光ダイオード８が点灯される。気温が下がると、温度センサ２８から低温検知信号が出力され、スイッチィング回路２６が導通されて、発熱線４が発熱される。雪等・雨等が降ると、水分センサ２７から水分検知信号が出力され、スイッチィング回路２６が導通されて、発熱線４が発熱される。
【図面の簡単な説明】
【００８９】
【図１】マット部１の外観を示す。
【図２】マット部１の発光ダイオード８…付近の断面を示す。
【図３】マット部１の発光ダイオード８…付近の断面を示す。
【図４】マット部１の裏の角付近のケーブル１３の切り換え部分を示す。
【図５】発光ダイオード８を点灯または消灯するための制御回路を示す。
【図６】発熱線４を発熱または消熱するための制御回路を示す。
【図７】複数のマット部１を連結した状態を示す。
【図８】複数のマット部１を連結した制御回路を示す。
【符号の説明】
【００９０】
１…マット部、２…下層マット、
３…上層マット、４…発熱線（発熱体）、
６…凹溝、７…保護レール（保護部）、
８…発光ダイオード（発光体）、
９…閉塞樹脂（閉塞部）、１０…プリント基板、
１１…ケーブル溝（溝）、１２…合流点、
１３…ケーブル、１５…貫通孔、
２１…交流電源、２２…整流回路、
２３…スイッチィング回路（光検知体）、
２４…フォトセンサ（光検知体）、
２６…スイッチィング回路（雪水検知体）、
２７…水分センサ（雪水検知体）、２８…温度センサ（雪水検知体）、
２９…オアゲート（雪水検知体）、３１…ヒータ（雪水検知体）、
３０、３２…アンドゲート（雪水検知体）、
３３…インバータ（雪水検知体）
３５…連結具（連結手段）、３６…点滅回路（点滅手段）。
【図１】
0003174979.tif 000003
【図２】
0003174979.tif 000004
【図３】
0003174979.tif 000005
【図４】
0003174979.tif 000006
【図５】
0003174979.tif 000007
【図６】
0003174979.tif 000008
【図７】
0003174979.tif 000009
【図８】
0003174979.tif 000010
【手続補正書】
【提出日】平成23年12月29日(2011.12.29)
【手続補正１】
【補正対象書類名】実用新案登録請求の範囲
【補正対象項目名】全文
【補正方法】変更
【補正の内容】
【実用新案登録請求の範囲】
【請求項１】
可撓性を有する板状のマット部と、
この板状のマット部の周縁の上面に配置された複数の発光体であって、この複数の発光体は当該周縁の一部のみに、少なくとも二か所に分かれて列状に配置され、これによりこの二か所に分かれた発光体群に挟まれる箇所によって通行すべき領域が示される発光体と、
この複数の発光体の周囲に設けられ、当該発光体より上方に突出し、しかも上縁が上記マット部の上面とほぼ同じ高さとなっている保護部と、
この保護部の上面を隙間なく塞ぎ、上記発光体の光を透過する透光性の閉塞部とを備えたことを特徴とする誘導装置。
【請求項２】
上記マット部を複数連結する連結手段と、
この連結された複数のマット部の各発光体群に接続され、これら発光体群を同期して点滅させる点滅手段とを、さらに備えたことを特徴とする請求項１記載の誘導装置。
【請求項３】
上記閉塞部は透明または半透明の樹脂であり、当該樹脂は上記保護部から上記発光体の全外面まで、当該保護部内に充填されていることを特徴とする請求項２記載の誘導装置。
【請求項４】
上記発光体に接続され、周囲の光量が所定値以下になったときに、上記発光体から光を放射させる光検知体を、さらに備えたことを特徴とする請求項３記載の誘導装置。
【請求項５】
請求項４の誘導装置において、
上記マット部の中に設けられ、上記発光体の付近及び上記少なくとも二か所に分かれた列状の発光体で挟まれた領域を、熱を発して雪、霜、霰、霙または氷を溶かす、若しくは雨または水を蒸発させる発熱体を、さらに備えたことを特徴とする請求項４記載の融雪装置。
【請求項６】
請求項５の融雪装置において、
上記発熱体に接続され、上記マット部に雪、霜、霰、霙、氷、雨または水があるとき、上記発熱体から熱を放出させる雪水検知体を、さらに備えたことを特徴とする請求項５記載の融雪装置。
【請求項７】
上記マット部の角の一方及び他方の両側縁から内部に向かって形成され合流する少なくとも２つの溝と、
上記発光体に電力を供給する、上記マット部の上記合流点から外に延出されたケーブルとを、さらに備え、
このケーブルは、この合流点から上記２つの溝のいずれかを選択して収納され、これにより、このケーブルをマット部の一側縁から延出するか他側縁から延出するか切り換えできることを特徴とする請求項４記載の誘導装置。
【請求項８】
請求項６の融雪装置において、
上記マット部の角の一方及び他方の両側縁から内部に向かって形成され合流する少なくとも２つの溝と、
上記発熱体に電力を供給する、上記マット部の上記合流点から外に延出されたケーブルとを、さらに備え、
このケーブルは、この合流点から上記２つの溝のいずれかを選択して収納され、これにより、このケーブルをマット部の一側縁から延出するか他側縁から延出するか切り換えできることを特徴とする請求項６記載の融雪装置。
【請求項９】
上記発熱体への印加電圧の一部が上記発光体に印加されることを特徴とする請求項７記載の誘導装置。
【請求項１０】
請求項８の融雪装置において、
上記発熱体への印加電圧の一部が上記発光体に印加されることを特徴とする請求項８記載の融雪装置。
【手続補正書】
【提出日】平成24年2月14日(2012.2.14)
【手続補正１】
【補正対象書類名】実用新案登録請求の範囲
【補正対象項目名】全文
【補正方法】変更
【補正の内容】
【実用新案登録請求の範囲】
【請求項１】
可撓性を有する板状のマット部と、
この板状のマット部の周縁の上面に配置された複数の発光体であって、この複数の発光体は当該周縁の一部のみに、少なくとも二か所に分かれて列状に配置され、これによりこの二か所に分かれた発光体群に挟まれる箇所によって通行すべき領域が示される発光体と、
この複数の発光体の周囲に設けられ、当該発光体より上方に突出し、しかも上縁が上記マット部の上面とほぼ同じ高さとなっている保護部と、
この保護部の上面を隙間なく塞ぎ、上記発光体の光を透過する透光性の閉塞部とを備えたことを特徴とする誘導装置。
【請求項２】
上記マット部を複数連結する連結手段と、
この連結された複数のマット部の各発光体群に接続され、これら発光体群を同期して点滅させる点滅手段とを、さらに備えたことを特徴とする請求項１記載の誘導装置。
【請求項３】
上記閉塞部は透明または半透明の樹脂であり、当該樹脂は上記保護部から上記発光体の全外面まで、当該保護部内に充填されていることを特徴とする請求項２記載の誘導装置。
【請求項４】
上記発光体に接続され、周囲の光量が所定値以下になったときに、上記発光体から光を放射させる光検知体を、さらに備えたことを特徴とする請求項３記載の誘導装置。
【請求項５】
請求項４に記載の誘導装置に使用される融雪装置であって、
上記マット部の中に設けられ、上記発光体の付近及び上記少なくとも二か所に分かれた列状の発光体で挟まれた領域を、熱を発して雪、霜、霰、霙または氷を溶かす、若しくは雨または水を蒸発させる発熱体を、さらに備えたことを特徴とする融雪装置。
【請求項６】
請求項５の融雪装置において、
上記発熱体に接続され、上記マット部に雪、霜、霰、霙、氷、雨または水があるとき、上記発熱体から熱を放出させる雪水検知体を、さらに備えたことを特徴とする請求項５記載の融雪装置。
【請求項７】
上記マット部の角の一方及び他方の両側縁から内部に向かって形成され合流する少なくとも２つの溝と、
上記発光体に電力を供給する、上記マット部の上記合流点から外に延出されたケーブルとを、さらに備え、
このケーブルは、この合流点から上記２つの溝のいずれかを選択して収納され、これにより、このケーブルをマット部の一側縁から延出するか他側縁から延出するか切り換えできることを特徴とする請求項４記載の誘導装置。
【請求項８】
請求項６の融雪装置において、
上記マット部の角の一方及び他方の両側縁から内部に向かって形成され合流する少なくとも２つの溝と、
上記発熱体に電力を供給する、上記マット部の上記合流点から外に延出されたケーブルとを、さらに備え、
このケーブルは、この合流点から上記２つの溝のいずれかを選択して収納され、これにより、このケーブルをマット部の一側縁から延出するか他側縁から延出するか切り換えできることを特徴とする請求項６記載の融雪装置。
【請求項９】
上記発熱体への印加電圧の一部が上記発光体に印加されることを特徴とする請求項７記載の誘導装置。
【請求項１０】
請求項８の融雪装置において、
上記発熱体への印加電圧の一部が上記発光体に印加されることを特徴とする請求項８記載の融雪装置。